(57)【特許請求の範囲】
【請求項１】
２Ｇ／３ＧネットワークからＬＴＥ（長期的進化）ネットワークへのユーザ装置（ＵＥ）のＣＳＩＲＡＴ（回線交換ＲＡＴ間）ハンドオーバを管理するための方法であって、
前記２Ｇ／３ＧネットワークのＢＳＣ／ＲＮＣノード（４）から前記ＬＴＥネットワークのターゲットｅＮｏｄｅＢ（６）に、前記ハンドオーバメッセージを転送するために、少なくとも２つの異なるハンドオーバ技術に対応して、少なくとも２つの異なるルーティングパスが可能であり、前記方法は、
前記ＵＥが、２Ｇ／３ＧからＬＴＥへのＣＳＩＲＡＴハンドオーバに対する自分の能力を前記ＢＳＣ／ＲＮＣノード（４）に送信するステップと、
前記ＢＳＣ／ＲＮＣノード（４）が、２Ｇ／３ＧからＬＴＥへのＣＳＩＲＡＴハンドオーバに対する前記ＵＥの能力に基づいて、前記異なるルーティングパスの中からルーティングパスを選定し、前記選定したＣＳハンドオーバ技術に対応した、前記選定したパスを示す情報を備えるハンドオーバメッセージを、前記２Ｇ／３ＧネットワークのＭＳＣ／ＶＬＲノード（８）に送信するステップと、
前記ＭＳＣ／ＶＬＲノード（８）が、前記ハンドオーバメッセージを、前記選定したＣＳハンドオーバ技術に従って、ＭＭＥノード（１０）を通して、またはＩＷＦノード（１２）を通して、前記ターゲットｅＮｏｄｅＢ（６）に転送するステップと
を備えることを特徴とする方法。
【請求項２】
前記選定したパスを示す前記情報は、ターゲットセル識別子であることを特徴とする請求項１に記載の方法。
【請求項３】
前記選定したパスを示す前記情報は、前記選定したＣＳハンドオーバ技術の識別子に関して補足するパラメータであることを特徴とする請求項１に記載の方法。
【請求項４】
前記異なるハンドオーバ技術は、前記ＣＳハンドオーバ技術のＳＲＶＣＣ（単一無線音声呼連続性）およびＣＳｏＰＳ（回線交換オーバパケット交換）を含むことを特徴とする請求項１に記載の方法。
【請求項５】
ＣＳＩＲＡＴハンドオーバに対する前記ＵＥ能力は、２Ｇ／３ＧからＬＴＥへのＳＲＶＣＣハンドオーバのサポート、または２Ｇ／３ＧからＬＴＥへのＣＳｏＰＳハンドオーバのサポート、または２Ｇ／３ＧからＬＴＥへのＳＲＶＣＣハンドオーバおよびＣＳｏＰＳハンドオーバの両方のサポートで構成されることを特徴とする請求項４に記載の方法。
【請求項６】
前記ＲＮＣ／ＢＳＣノード（４）が、ＣＳ呼を行う前記ＵＥを、前記ＬＴＥネットワークにハンドオーバする必要性を検知した場合には、前記ＲＮＣ／ＢＳＣノード（４）は、ＳＲＶＣＣハンドオーバの場合には、前記ターゲットＬＴＥのセルＩＤ（ｅＮｏｄｅＢのＣＧＩ）を含むハンドオーバメッセージを、またはＣＳｏＰＳハンドオーバの場合には、仮想２Ｇ／３ＧセルＩＤを含むハンドオーバメッセージを、前記ＭＳＣ／ＶＬＲ（８）に送信し、前記ＩＤは、ＢＳＣ／ＲＮＣノード、ＭＳＣ／ＶＬＲノード（８）、およびＩＷＦノード（１２）のマッピングテーブルとルーティングテーブルとの中に事前に設定されており、これにより、前記ＬＴＥセルＩＤを前記仮想２Ｇ／３ＧセルＩＤに関連づけることを可能にすることを特徴とする請求項２に記載の方法。
【請求項７】
前記ＲＮＣ／ＢＳＣノード（４）が、ＣＳ呼を行う前記ＵＥを、前記ＬＴＥネットワークにハンドオーバする必要性を検知した場合には、前記ＲＮＣ／ＢＳＣノード（４）は、前記ターゲットＬＴＥセルＩＤと、前記ハンドオーバがＳＲＶＣＣハンドオーバであるかまたはＣＳｏＰＳハンドオーバであるかを前記ＭＳＣ／ＶＬＲ（８）に知らせる指示子（ＳＲＶＣＣ／ＣＳｏＰＳ）とを含むハンドオーバメッセージを送信することを特徴とする請求項３に記載の方法。
【請求項８】
前記ＭＳＣ／ＶＬＲ（８）がＲＮＣ／ＢＳＣ（４）から受信した前記ターゲットセルＩＤが、ＬＴＥセルを指示している場合には、前記ＭＳＣ／ＶＬＲノード（８）は、前記ハンドオーバメッセージを前記ＬＴＥネットワークのＭＭＥノード（１０）に送信する、または、前記ＭＳＣ／ＶＬＲノード（８）がＲＮＣ／ＢＳＣノード（４）から受信した前記ターゲットセルＩＤが、２Ｇ／３Ｇセルを指示している場合には、前記ＭＳＣ／ＶＬＲ（８）は、前記ハンドオーバメッセージをＩＷＦノード（１２）に送信することを特徴とする請求項６に記載の方法。
【請求項９】
前記ＭＳＣ／ＶＬＲ（８）がＲＮＣ／ＢＳＣ（４）から受信した前記指示子が、ＳＲＶＣＣハンドオーバを指示している場合には、前記ＭＳＣ／ＶＬＲノード（８）は、前記ハンドオーバメッセージを前記ＬＴＥネットワークの前記ＭＭＥノード（１０）に送信する、または、前記ＭＳＣ／ＶＬＲノード（８）がＲＮＣ／ＢＳＣノード（４）から受信した前記指示子が、ＣＳｏＰＳハンドオーバを指示している場合には、前記ＭＳＣ／ＶＬＲ（８）は、前記ハンドオーバメッセージを前記ＩＷＦノード（１２）に送信することを特徴とする請求項７に記載の方法。
【請求項１０】
２Ｇ／３Ｇネットワークの中でＣＳ呼を実行しているユーザ装置をハンドオーバするために、２Ｇ／３Ｇネットワークの中のＭＳＣ／ＶＬＲノード（８）から、ＬＴＥネットワークの中のターゲットｅＮｏｄｅＢ（６）に、ハンドオーバメッセージを送信するためのルーティングパスを選定するための手段を備える２Ｇ／３ＧネットワークのＢＳＣ／ＲＮＣノード（４）であって、前記ハンドオーバメッセージは、前記ハンドオーバメッセージを前記ＭＳＣ／ＶＬＲノード（８）から前記ターゲットｅＮｏｄｅＢ（６）に送信するための特定のパスを指示する情報を備えることを特徴とするＢＳＣ／ＲＮＣノード。
【請求項１１】
２Ｇ／３Ｇネットワークの中のＲＮＣ／ＢＳＣ（４）と通信し、前記２Ｇ／３ＧネットワークからＬＴＥ（長期的進化）ネットワークへのユーザ装置のＣＳＩＲＡＴ（回線交換ＲＡＴ間）ハンドオーバを管理するように構成され、前記ハンドオーバメッセージを、前記２Ｇ／３Ｇネットワークの前記ＢＳＣ／ＲＮＣノード（４）から前記ＬＴＥネットワークのターゲットｅＮｏｄｅＢ（６）に、前記ＭＳＣ／ＶＬＲノード（８）を介して転送するために、少なくとも２つの異なるハンドオーバ技術に対応して少なくとも２つの異なるルーティングパス可能であるＭＳＣ／ＶＬＲノード（８）であって、
どのハンドオーバ技術が使用されるべきかを指示する、前記ＲＮＣ／ＢＳＣノード（４）から受信された指示子を解析する解析ユニットと、前記解析した指示子に従って前記ハンドオーバメッセージのルーティングを行うルーティングユニットとを備えることを特徴とするＭＳＣ／ＶＬＲノード。
【請求項１２】
２Ｇ／３ＧネットワークによってカバーされているエリアとＬＴＥ（長期的進化）ネットワークによってカバーされているエリアとの間でローミングを行うユーザ装置（ＵＥ）であって、
前記ＵＥは、その能力を前記２Ｇ／３ＧネットワークのＲＮＣ／ＢＳＣノード（４）に送信し、前記２Ｇ／３Ｇネットワークから前記ＬＴＥネットワークへの前記ＵＥのＣＳＩＲＡＴ（回線交換ＲＡＴ間）ハンドオーバを管理するように構成され、前記ハンドオーバメッセージを、前記２Ｇ／３Ｇネットワークの前記ＢＳＣ／ＲＮＣノード（４）から前記ＬＴＥネットワークのターゲットｅＮｏｄｅＢ（６）に、前記ＭＳＣ／ＶＬＲノード（８）を介して転送するために、少なくとも２つの異なるハンドオーバ技術に対応して少なくとも２つの異なるルーティングパスが可能であることを特徴とするユーザ装置（ＵＥ）。
【発明の詳細な説明】
【技術分野】
【０００１】
本発明は、通信分野に関し、また、２Ｇ／３ＧネットワークからＬＴＥ（長期的進化：Ｌｏｎｇ  Ｔｅｒｍ  Ｅｖｏｌｕｔｉｏｎ）ネットワークへの、ユーザ装置のＣＳＩＲＡＴ（回線交換無線アクセス技術間：Ｃｉｒｃｕｉｔ  Ｓｗｉｔｃｈ  Ｉｎｔｅｒ  Ｒａｄｉｏ  Ａｃｃｅｓｓ  Ｔｅｃｈｎｏｌｏｇｙ）ハンドオーバを管理する方法に関する。ここでは、前記２Ｇ／３ＧネットワークのＢＳＣ／ＲＮＣ（基地局制御装置／無線ネットワーク制御装置：Ｂａｓｅ  Ｓｔａｔｉｏｎ  Ｃｏｎｔｒｏｌｌｅｒ／Ｒａｄｉｏ  Ｎｅｔｗｏｒｋ  Ｃｏｎｔｒｏｌｌｅｒ）ノードから前記ＬＴＥネットワークのターゲットｅＮｏｄｅＢへのハンドオーバメッセージの転送に対して、少なくとも２つの異なるハンドオーバ技術に依存して、少なくとも２つの異なるルーティングパスが可能である。
[優先権の主張]
欧州特許出願第０９１６３８１７．１号（２００９年  ６月２５日出願）の優先権を主張する。この出願の内容は、参照により本明細書に組み込まれる。
【０００２】
本発明は、また、２Ｇ／３Ｇネットワークの中のＭＳＣ／ＶＬＲノードからＬＴＥネットワークの中のターゲットｅＮｏｄｅＢにハンドオーバメッセージを送信するためのルーティングパスを選定し、前記２Ｇ／３Ｇネットワークの中でＣＳ呼を実行しているユーザ装置をハンドオーバするための手段を備える２Ｇ／３ＧネットワークのＢＳＣ／ＲＮＣノードに関する。
【０００３】
本発明は、また、ＲＮＣ／ＢＳＣノードによって指示された、選定されたパスに従って、ＬＴＥネットワークの中のターゲットｅＮｏｄｅＢにハンドオーバメッセージをルーティングするための手段を備える２Ｇ／３ＧネットワークのＭＳＣノードに関する。
【０００４】
本発明は、また、２Ｇ／３ＧのＲＮＣ／ＢＳＣノーに対して、自分のＣＳＩＲＡＴハンドオーバ能力を指示する手段を備えるユーザ装置に関する。
【背景技術】
【０００５】
３ＧＰＰは、ＥＵＴＲＡＮにおけるＣＳ呼（例えば、音声呼）を管理するための２つの技術を規定している。これらは、ＣＳｏＰＳ（ＣＳオーバＰＳ：ＣＳ  ｏｖｅｒ  ＰＳ）およびＶｏＩＭＳ（Ｖｏｉｃｅ  ｏｖｅｒ  ＩＭＳ  ｏｖｅｒ  ＬＴＥ）である。これらの２つの技術のそれぞれには、ＥＵＴＲＡＮからＧＥＲＡＮ／ＵＴＲＡＮへの特定のハンドオーバ手順が必要である。すなわち、ＣＳｏＰＳに対するＣＳｏＰＳハンドオーバ、またはＶｏＩＭＳｏｖｅｒＬＴＥからＣＳＧＥＲＡＮ／ＵＴＲＡNへのハンドオーバに対する単一無線音声呼連続性（ＳＲＶＣＣ：Ｓｉｎｇｌｅ  Ｒａｄｉｏ  Ｖｏｉｃｅ  Ｃａｌｌ  Ｃｏｎｔｉｎｕｉｔｙ）である。
【０００６】
ＳＲＶＣＣおよびＣＳｏＰＳ技術の両方に対して、ＧＥＲＡＮ／ＵＴＲＡＮからＥＵＴＲＡＮへのＣＳＩＲＡＴハンドオーバは規定されておらず、標準規格における更なる検討課題であると考えられている。他の任意のハンドオーバ技術（ＣＳ２Ｇ／３Ｇ、ＰＳ２Ｇ／３Ｇ、ＬＴＥ、ＣＳＧＡＮ（ジェネリックアクセスネットワーク：Ｇｅｎｅｒｉｃ  Ａｃｃｅｓｓ  Ｎｅｔｗｏｒｋ）等）と同様に、ＧＥＲＡＮ／ＵＴＲＡＮからＥＵＴＲＡＮへのＣＳＩＲＡＴハンドオーバは、ＥＵＴＲＡＮからＧＥＲＡＮ／ＵＴＲＡＮへのＣＳＩＲＡＴハンドオーバとは逆のシーケンスを使用するであろうと仮定することができる。これは、両方の場合に対して、ＲＮＣ／ＢＳＣは、そのハンドオーバを管理するために、「ハンドオーバ要求（Ｈａｎｄｏｖｅｒ  Ｒｅｑｕｉｒｅｄ）」メッセージをＭＳＣ／ＶＬＲに送信することにより、ハンドオーバを開始するということを意味している。
【０００７】
図１は、２Ｇ／３Ｇネットワーク（ＧＥＲＡＮ／ＵＴＲＡＮ（ＧＳＭ無線アクセスネットワーク／ＵＭＴＳ地上無線アクセスネットワーク：ＧＳＭ  Ｒａｄｉｏ  Ａｃｃｅｓｓ  Ｎｅｔｗｏｒｋ／ＵＭＴＳ  Ｔｅｒｒｅｓｔｒｉａｌ  Ｒａｄｉｏ  Ａｃｃｅｓｓ  Ｎｅｔｗｏｒｋ））の無線アクセスネットワークから、ＬＴＥネットワーク（ＥＵＴＲＡＮ：進化型汎用地上無線アクセスネットワーク：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の無線アクセスネットワークへハンドオーバメッセージを送信するための異なるルーティングパスを示している。
【０００８】
従って、以下のことが予想される。すなわち、ＳＲＶＣＣに対しては、ＭＳＣ／ＶＬＲは、Ｓｖインタフェース（ＭＭＥ−ＭＳＣ／ＶＬＲ）を介して、メッセージをＭＭＥ（移動管理エンティティ：Ｍｏｂｉｌｉｔｙ  Ｍａｎａｇｅｍｅｎｔ  Ｅｎｔｉｔｙ）に送信することにより、ハンドオーバを起動するということと、また、ＣＳｏＰＳに対しては、ＭＳＣ／ＶＬＲは、Ａ／Ｉｕインタフェースを介して、メッセージをＩＷＦに送信することにより、ハンドオーバを起動するということである。この場合、ＭＳＣ／ＶＬＲは、３ＧＰＰのＥ−ＵＴＲＡＮ／ＵＴＲＡＮ（ＨＳＰＡ）と３ＧＰＰのＵＴＲＡＮ／ＧＥＲＡＮとの間のＳＲＶＣＣハンドオーバを扱うために規定された基準点であり、また、Ａ／Ｉｕインタフェースは、ＧＥＲＡＮ／ＵＴＲＡＮにおけるハンドオーバをサポートするインタフェースとして公知であり、また、ＣＳｏＰＳ技術によって再使用されている。
【発明の概要】
【発明が解決しようとする課題】
【０００９】
結論的に、ＧＥＲＡＮ／ＵＴＲＡＮからＥＵＴＲＡＮへの、ＳＲＶＣＣおよびＣＳｏＰＳのＩＲＡＴハンドオーバの両方をサポートしているネットワークに対しては、ＭＳＣ／ＶＬＲの中では、Ｈａｎｄｏｖｅｒ  Ｒｅｑｕｉｒｅｄメッセージを転送するために、２つの異なるルーティングパスが可能である。従って、ＭＳＣ／ＶＬＲは、ＲＮＣ／ＢＳＣから受信した「Ｈａｎｄｏｖｅｒ  Ｒｅｑｕｉｒｅｄ（ターゲットｅＮｏｄｅＢのセルＩＤ）」メッセージを、どちらのターゲットノード（ＣＳｏＰＳに対するＩＷＦ、またはＳＲＶＣＣに対するＭＭＥ）に転送するべきかを同定する必要がある。
【課題を解決するための手段】
【００１０】
本発明は、２Ｇ／３ＧネットワークからＬＴＥネットワークに、新たに予想されるＣＳＩＲＡＴハンドオーバシーケンスに対しては、ＧＥＲＡＮ／ＵＴＲＡＮからＥＵＴＲＡＮにＨａｎｄｏｖｅｒ  Ｒｅｑｕｉｒｅｄメッセージを転送するために、前記２Ｇ／３ＧのＭＳＣ／ＶＬＲノード（移動サービス交換センタ：Ｍｏｂｉｌｅ  ｓｅｒｖｉｃｅｓ  Ｓｗｉｔｃｈｉｎｇ  Ｃｅｎｔｅｒ）の中では、それぞれＳＲＶＣＣのＩＲＡＴハンドオーバパスおよびＣＳｏＰＳのＩＲＡＴハンドオーバパスに対応して、２つの異なるルーティングが可能であるという事実に基づいている。
【００１１】
本発明は、ＭＳＣ／ＶＬＲが、Ｈａｎｄｏｖｅｒ  Ｒｅｑｕｉｒｅｄメッセージを、ＩＷＦ（ＣＳｏＰＳ）またはＭＭＥ（ＳＲＶＣＣ）のどちらにルーティングするか、その正しいルーティングを可能にするものである。
【００１２】
この目的は、２Ｇ／３ＧネットワークからＬＴＥ（長期的進化）ネットワークへの、ユーザ装置（ＵＥ）のＣＳＩＲＡＴ（回線交換ＲＡＴ間）ハンドオーバを管理する方法によって達成することができる。ここでは、前記２Ｇ／３ＧネットワークのＢＳＣ／ＲＮＣ（基地局制御装置／無線ネットワーク制御装置）ノードから、前記ＬＴＥネットワークのターゲットｅＮｏｄｅＢへのハンドオーバメッセージの転送に対して、少なくとも２つの異なるハンドオーバ技術に対応して、少なくとも２つの異なるルーティングパスが可能である。
【００１３】
本発明に従った方法は、
−  ＵＥが２Ｇ／３ＧからＬＴＥへのＣＳＩＲＡＴハンドオーバに対する自分の能力をＢＳＣ／ＲＮＣノードに送信するステップと、
−  ＢＳＣ／ＲＮＣノードが、２Ｇ／３ＧからＬＴＥへのＣＳＩＲＡＴハンドオーバに対するＵＥの能力に基づいて、前記異なるルーティングパスの中からルーティングパスを選定し、選定したＣＳハンドオーバ技術に対応して選定したパスを示す情報を備えるハンドオーバメッセージを、前記２Ｇ／３ＧネットワークのＭＳＣ／ＶＬＲノード（移動サービス交換センタ）に送信するステップと、
−  ＭＳＣ／ＶＬＲノードが、選定されたＣＳハンドオーバ技術に従って、ＭＭＥ（移動管理エンティティ）ノードを通して、またはＩＷＦ（相互動作機能：Ｉｎｔｅｒｗｏｒｋｉｎｇ  Ｆｕｎｃｔｉｏｎ）ノードを通して、前記ハンドオーバメッセージを前記ターゲットｅＮｏｄｅＢに転送するステップとを備える。
【００１４】
第１の実施形態においては、選定されたパスを示す前記情報は、ターゲットセル識別子である。
【００１５】
本発明の第２の実施形態においては、選定されたパスを示す前記情報は、選定されたＣＳハンドオーバ技術の識別子に関連付けてそれを補足するパラメータである。
【００１６】
本発明に従った方法は、異なるハンドオーバ技術が、ＳＲＶＣＣ（単一無線音声呼連続性）およびＣＳｏＰＳ（回線交換オーバパケット交換：Ｃｉｒｃｕｉｔ  Ｓｗｉｔｃｈｅｄ  ｏｖｅｒ  Ｐａｃｋｅｔ  Ｓｗｉｔｃｈｅｄ）のＣＳハンドオーバ技術で構成されている場合に、ＣＳＩＲＡＴハンドオーバを管理するために実施される。
【００１７】
本発明に従った方法は、ＣＳＩＲＡＴハンドオーバに対する前記ＵＥ能力が、２Ｇ／３ＧからＬＴＥへのＳＲＶＣＣハンドオーバのサポート、または２Ｇ／３ＧからＬＴＥへのＣＳｏＰＳハンドオーバのサポート、または２Ｇ／３ＧからＬＴＥへのＳＲＶＣＣハンドオーバおよびＣＳｏＰＳハンドオーバの両方に対するサポートを含んでいる場合に実施される。
【００１８】
第１の変形例では、ＲＮＣ／ＢＳＣノードは、ＣＳ呼を行っているＵＥをＬＴＥネットワークにハンドオーバする必要性を検知した場合には、ＲＮＣ／ＢＳＣノードは、ＳＲＶＣＣハンドオーバの場合には、ターゲットＬＴＥセルＩＤ（ｅＮｏｄｅＢのＣＧＩ）を含むハンドオーバメッセージをＭＳＣ／ＶＬＲに送信するか、またはＣＳｏＰＳハンドオーバの場合には、仮想２Ｇ／３ＧセルＩＤを含むハンドオーバメッセージをＭＳＣ／ＶＬＲに送信する。前記ＩＤは、ＢＳＣ／ＲＮＣノード、ＭＳＣ／ＶＬＲノード、およびＩＷＦノードのマッピングテーブルとルーティングテーブルとの中に事前に設定されていて、ＬＴＥセルＩＤを仮想２Ｇ／３ＧセルＩＤと関連づけることが可能になる。
【００１９】
第２の変形例では、ＲＮＣ／ＢＳＣは、ＣＳ呼を行っているＵＥをＬＴＥネットワークにハンドオーバする必要性を検知した場合には、ＲＮＣ／ＢＳＣは、ターゲットＬＴＥセルＩＤ、およびそのハンドオーバがＳＲＶＣＣハンドオーバであるか、またはＣＳｏＰＳハンドオーバであるかをＭＳＣ／ＶＬＲに知らせる指示子を含むハンドオーバメッセージを送信する。
【００２０】
本発明はまた、選定ユニットを備えるＢＳＣ／ＲＮＣノードに関するものであってもよく、この選定ユニットは、２Ｇ／３Ｇネットワークの中のＭＳＣ／ＶＬＲノードから、ＬＴＥネットワークの中のターゲットｅＮｏｄｅＢに、ハンドオーバメッセージを送信するためのルーティングパスを選定し、前記２Ｇ／３Ｇネットワークの中でＣＳ呼を実行しているユーザ装置をハンドオーバする。前記ハンドオーバメッセージは、前記ハンドオーバメッセージをＭＳＣ／ＶＬＲノードからターゲットｅＮｏｄｅＢに送信するための特定のパスを指示する情報を備えている。
【００２１】
本発明はまた、ＭＳＣ／ＶＬＲノードに関するものであってもよい。このＭＳＣ／ＶＬＲノードは、２Ｇ／３Ｇネットワークの中のＲＮＣ／ＢＳＣと通信するように構成され、前記２Ｇ／３ＧネットワークからＬＴＥ（長期的進化）ネットワークへの、ユーザ装置のＣＳＩＲＡＴ（回線交換ＲＡＴ間）ハンドオーバを管理する。ここでは、前記２Ｇ／３ＧネットワークのＢＳＣ／ＲNＣノードから、前記ＬＴＥネットワークのターゲットｅＮｏｄｅＢに、前記ＭＳＣ／ＶＬＲノードを介して、ハンドオーバメッセージを転送するために、少なくとも２つの異なるハンドオーバ技術に対応して、少なくとも２つの異なるルーティングパスが可能である。前記ＭＳＣ／ＶＬＲノードは、解析ユニットとルーティングユニットとを備える。解析ユニットは、前記ＲＮＣ／ＢＳＣノードから受信した指示子を解析し、どのハンドオーバ技術が使用されるべきかを指示する。また、ルーティングユニットは、解析された指示子に基づいて前記ハンドオーバメッセージのルーティングを行う。
【００２２】
本発明はまた、２Ｇ／３ＧネットワークによってカバーされているエリアとＬＴＥ（長期的進化）ネットワークによってカバーされているエリアとの間のローミングを行うユーザ装置（ＵＥ）に関する。前記ＵＥは、前記２Ｇ／３ＧネットワークのＲＮＣ／ＢＳＣノードに自分の能力を送信し、前記２Ｇ／３ＧネットワークからＬＴＥ（長期的進化）ネットワークへの前記ＵＥのＣＳＩＲＡＴ（回線交換ＲＡＴ間）ハンドオーバを管理するように構成される。ここでは、ＢＳＣ／ＲＮＣからのハンドオーバメッセージを転送するために、少なくとも２つの異なるハンドオーバ技術に対応して、少なくとも２つの異なるルーティングパスが可能である。
【００２３】
前記した発明の概要と、以下の詳細な記述とは、本発明の典型的な実施形態を示す添付図面とともに読むことにより、より一層深く理解することができる。
【図面の簡単な説明】
【００２４】
【図１】ＧＥＲＡＮ／ＵＴＲＡＮからＥＵＴＲＡＮへのＣＳハンドオーバに対する異なるルーティングパスを示す図である。
【図２Ａ】本発明の第１の実施形態に従った、ハンドオーバを行う間の、ＲＮＣ／ＢＳＣノード、ＭＳＣ／ＶＬＲノード、およびＩＷＦノードのネットワークのルーティングおよびマッピングの設定を示す表（テーブル）である。
【図２Ｂ】本発明の第１の実施形態に従った、ハンドオーバを行う間の、ＲＮＣ／ＢＳＣノード、ＭＳＣ／ＶＬＲノード、およびＩＷＦノードのネットワークのルーティングおよびマッピングの設定を示す表（テーブル）である。
【図２Ｃ】本発明の第１の実施形態に従った、ハンドオーバを行う間の、ＲＮＣ／ＢＳＣノード、ＭＳＣ／ＶＬＲノード、およびＩＷＦノードのネットワークのルーティングおよびマッピングの設定を示す表（テーブル）である。
【図２Ｄ】本発明の第２の実施形態に従った、ハンドオーバを行う間の、ＲＮＣ／ＢＳＣノード、およびＭＳＣ／ＶＬＲノードのネットワークのルーティングおよびマッピングの設定を示す表（テーブル）である。
【図２Ｅ】本発明の第２の実施形態に従った、ハンドオーバを行う間の、ＲＮＣ／ＢＳＣノード、およびＭＳＣ／ＶＬＲノードのネットワークのルーティングおよびマッピングの設定を示す表（テーブル）である。
【図３】ＳＲＶＣＣをサポートするＵＥとＣＳｏＰＳをサポートするＵＥとに対する、ＣＳＩＲＡＴハンドオーバの準備を示す図である。
【図４】本発明の第１の実施形態に従った、ＳＲＶＣＣおよびＣＳｏＰＳを介して行うＣＳＩＲＡＴハンドオーバを示す図である。
【図５】本発明の第２の実施形態に従った、ＳＲＶＣＣおよびＣＳｏＰＳを介して行うＣＳＩＲＡＴハンドオーバを示す図である。
【発明を実施するための形態】
【００２５】
本発明は、２Ｇ／３Ｇネットワークのセルの中にキャンプ（駐留）している２つのユーザ装置ＵＥ１およびＵＥ２が、ＳＲＶＣＣ（単一無線音声呼接続性）およびＣＳｏＰＳ（回線交換オーバパケット交換）の両方をサポートしているＬＴＥネットワークの中のセルに対して、ＣＳＩＲＡＴハンドオーバを行う場合を記載する。
【００２６】
ＵＥ１は、ＣＳｏＰＳの能力があり、ＵＴＲＡＮ／ＧＥＲＡＮの中で確立されたＣＳ呼を行う間は、ＧＥＲＡＮ／ＵＴＲＡＮからＥＵＴＲＡＮへのＣＳｏＰＳに基づいたＣＳＩＲＡＴハンドオーバをサポートしており、また、ＵＥ２は、ＳＲＶＣＣの能力があり、ＵＴＲＡＮ／ＧＥＲＡＮの中で確立されたＣＳ呼を行う間は、ＧＥＲＡＮ／ＵＴＲＡＮからＥＵＴＲＡＮへのＳＲＶＣＣに基づいたＣＳＩＲＡＴハンドオーバをサポートしていると仮定している。
【００２７】
ＵＥ１およびＵＥ２は、初期には、２Ｇ／３Ｇセルの中のＢＴＳ／ＮｏｄｅＢ２に接続されていて、それらの能力を２Ｇ／３Ｇネットワークの中のＢＳＣ／ＲＮＣ４（基地局制御装置／無線ネットワーク制御装置）に送信すると仮定している。
【００２８】
ＢＳＣ／ＲＮＣノード４は、ＣＳ呼を行っているＵＥをＬＴＥネットワークにハンドオーバ（ＨＯ）する必要性を検知した場合には、ＢＳＣ／ＲＮＣノード４は、ターゲットＬＴＥのセルＩＤ、およびそのハンドオーバがＳＲＶＣＣハンドオーバであるかまたはＣＳｏＰＳハンドオーバであるかをＭＳＣ／ＶＬＲ８に知らせる指示子を含むハンドオーバメッセージを送信する。
【００２９】
ＲＮＣ／ＢＳＣ４からＭＳＣ／ＶＬＲ８が受信した指示子がＳＲＶＣＣハンドオーバであることを示す場合には、ＭＳＣ／ＶＬＲ８は、ハンドオーバメッセージを、ＬＴＥネットワークの中に位置する移動管理エンティティ（ＭＭＥノード）１０に送信する。または、ＲＮＣ／ＢＳＣ４からＭＳＣ／ＶＬＲ８が受信した指示子がＣＳｏＰＳハンドオーバであることを示す場合には、ＭＳＣ／ＶＬＲ８は、ハンドオーバメッセージを、ＬＴＥネットワークの中に位置する相互動作機能ノード（ＩＷＦノード）１２に送信する。
【００３０】
図２Ａ−２Ｅの表を参照して、本発明の詳細な説明を行う。これらの表は、ハンドオーバの間の、ＲＮＣ／ＢＳＣ４、ＩＷＦ１２、およびＭＳＣ／ＶＬＲ８のネットワークのマッピングおよびルーティングの設定を示している。
【００３１】
図３を参照すると、ステップ２０において、ＵＥ１は、自分の能力をＢＳＣ／ＲＮＣ４に送信し、ステップ２２において、前記ＢＳＣ／ＲＮＣ４から確認メッセージを受信する。
【００３２】
ステップ２４において、ＢＳＣ／ＲＮＣ４は、ターゲットｅＮｏｄｅＢを示す情報（ＡＲＦＣＮ、ＢＳＩＧ）と共に、近隣セルを示す情報をＵＥ１に送信する。
【００３３】
ステップ２６から３０において、ＵＥ２とＢＳＣ／ＲＮＣ４との間で同様の情報交換が実行される。
【００３４】
ステップ３２において、ＵＥ２は、測定報告をＢＳＣ／ＲＮＣ４に送信する。これにより、ＢＳＣ／ＲＮＣ４は、ステップ３４において、ＵＥ２のハンドオーバに関する決定を行うことができる。
【００３５】
図４は、ＢＳＣ／ＲＮＣ４が、ＵＥ２はＬＴＥにＣＳＩＲＡＴハンドオーバを行う必要があるということを検知した場合の、本発明の第１の実施形態に従った方法のステップを示したものである。図４は、ＵＥ１に対する同様の状況も示している。ここでは、ＲＮＣ／ＢＳＣ４は、そのハンドオーバがＳＲＶＣＣハンドオーバであるか、またはＣＳｏＰＳハンドオーバであるかを示すターゲットセルＩＤをＭＳＣ／ＶＬＲ８に提供する。
【００３６】
ステップ３４において、ＢＳＣ／ＲＮＣ４は、ＳＲＶＣＣを使用して、ＬＴＥへのＵＥ２のＣＳＩＲＡＴハンドオーバを開始する。
【００３７】
ステップ３６において、ｅＮｏｄｅＢのＡＲＦＣＮ（絶対無線周波数チャネル番号：Ａｂｓｏｌｕｔｅ  Ｒａｄｉｏ  Ｆｒｅｑｕｅｎｃｙ  Ｃｈａｎｎｅｌ  Ｎｕｍｂｅｒ）およびｅＮｏｄｅＢのＢＳＩＣ（基地局アイデンティティコード：Ｂａｓｅ  Ｓｔａｔｉｏｎ  Ｉｄｅｎｔｉｔｙ  Ｃｏｄｅ）は、ｅＮｏｄｅＢのＣＧＩ（セルグローバルアイデンティティ：Ｃｅｌｌ  Ｇｒｏｂａｌ  Ｉｄｅｎｔｉｔｙ）にマッピングされる。これは図２ＡのＲＮＣ／ＢＳＣマッピングテーブルの中に示されている。
【００３８】
ステップ３８において、ＢＳＣ／ＲＮＣ４は、ＵＥ２のIDおよびｅＮｏｄｅＢのＣＧＩを備えるハンドオーバ要求メッセージをＭＳＣ／ＶＬＲ８に送信する。
【００３９】
ステップ４０において、ＭＳＣ／ＶＬＲ８は、図２Ｂに示したＭＳＣ／ＶＬＲ８のルーティングテーブルを使用して、ｅＮｏｄｅＢに関連したターゲットノードアドレス（ＭＭＥアドレス）を検索し、ステップ４２において、前記ハンドオーバ要求メッセージをＭＭＥノード１０に送信する。
【００４０】
ステップ４４において、ＭＭＥノード１０は、前記ハンドオーバ要求メッセージをターゲットｅＮｏｄｅＢ６に転送する。
【００４１】
ステップ４６において、ターゲットｅＮｏｄｅＢ６は、確認応答をＭＭＥノード１０に送信する。
【００４２】
ステップ４８において、ＭＭＥノード１０は、ＣＳからＰＳへのＵＥ２のハンドオーバ要求に対する応答を備えるメッセージを、ＭＳＣ／ＶＬＲ８に送信する。
【００４３】
ステップ５０において、ＭＳＣ／ＶＬＲ８は、セッション転送を開始するように、３ＧＰＰＩＭＳ（ＩＰマルチメディアサブシステム：ＩＰ  Ｍｕｌｔｉｍｅｄｉａ  Ｓｕｂｓｙｓｔｅｍ）に対して要求する。
【００４４】
ステップ５２において、ＭＳＣ／ＶＬＲ８は、ハンドオーバコマンドをＢＳＣ／ＲＮＣ４に送信する。
【００４５】
ステップ５４において、ＢＳＣ／ＲＮＣ４は、ハンドオーバコマンドをＵＥ２に転送する。
【００４６】
ステップ５６において、ＵＥ２は、Ｅ−ＵＴＲＡＮに同調を取る。
【００４７】
ステップ５８において、ＢＳＣ／ＲＮＣ４は、ＣＳｏＰＳを使用して、ＬＴＥへのＣＳＩＲＡＴハンドオーバを開始する。
【００４８】
ステップ６０において、ｅＮｏｄｅＢのＡＲＦＣＮ（絶対無線周波数チャネル数）およびｅＮｏｄｅＢのＢＳＩＣ（基地局アイデンティティコード）は、２Ｇ／３Ｇの仮想ＣＧＩ（セルグローバルアイデンティティ）にマッピングされる。これは、図２ＡのＲＮＣ／ＢＳＣマッピングテーブルの中に示されている。
【００４９】
ステップ６２において、ＢＳＣ／ＲＮＣ４は、ＵＥ１および２Ｇ／３Ｇの仮想ＣＧＩマッピングを備えるハンドオーバ要求メッセージを、ＭＳＣ／ＶＬＲ８に送信する。
【００５０】
ステップ６４において、ＭＳＣ／ＶＬＲ８は、図２Ｂに示したＭＳＣ／ＶＬＲ８のルーティングテーブルを使用して、２Ｇ／３Ｇの仮想ＣＧＩに関連したターゲットノードアドレス（ＩＷＦアドレス）を検索し、ステップ６６において、前記ハンドオーバ要求メッセージをＩＷＦノード１２に送信する。
【００５１】
ステップ６７において、２Ｇ／３Ｇの仮想ＣＧＩ（セルグローバルアイデンティティ）は、ｅＮｏｄｅＢのＣＧＩにマッピングされる。これは、図２ＣのＲＮＣ／ＢＳＣマッピングテーブルの中に示されている。
【００５２】
ステップ６８において、ＩＷＦノード１２は、UＥＩをＣＳからＰＳに切り替える要求とターゲットｅＮｏｄｅＢのＣＧＩとを備えるメッセージをＭＭＥノード１０に送信する。
【００５３】
ステップ７０において、ＭＭＥノード１０は、ＵＥ１のハンドオーバ要求をターゲットｅＮｏｄｅＢに送信する。
【００５４】
ステップ７２において、ターゲットｅＮｏｄｅＢは、確認応答をＭＭＥノード１０に送信する。
【００５５】
ステップ７４において、ＭＭＥノード１０は、ＵＥ１のハンドオーバ要求に関する応答をＩＷＦノード１２に送信する。
【００５６】
ステップ７６において、ＩＷＦノード１２は、前記応答をＭＳＣ／ＶＬＲ８に転送する。ＭＳＣ／ＶＬＲ８は、ステップ７８において、ハンドオーバコマンドをＢＳＣ／ＲＮＣ４に送信し、ＢＳＣ／ＲＮＣ４は、ステップ８０において、前記ハンドオーバを実行する。
【００５７】
ステップ８２において、ＵＥ１は、Ｅ−ＵＴＲＡＮに同調を取る。
【００５８】
図５は、ＢＳＣ／ＲＮＣ４が、ＵＥ２はＬＴＥにＣＳＩＲＡＴハンドオーバを行う必要があるということを検知した場合の、本発明の第２の実施形態に従った方法のステップを示したものである。図５は、ＵE１に対する同様の状況も示している。ここでは、ＲＮＣ／ＢＳＣ４は、その呼がＳＲＶＣＣであるかまたはＣＳｏＰＳであるかに従った指示子（ＳＲＶＣＣ／ＣＳｏＰＳ）をＭＳＣ／ＶＬＲ８に提供する。
【００５９】
ステップ９４において、ＢＳＣ／ＲＮＣ４は、ＵＥ２をｅＮｏｄｅＢ６にハンドオーバすることを決定する。
【００６０】
ステップ１００において、ｅＮｏｄｅＢのＡＲＦＣＮ（絶対無線周波数チャネル数）およびｅＮｏｄｅＢのＢＳＩＣ（基地局アイデンティティコード）は、ＵＥ２に対するｅＮｏｄｅＢのＣＧＩ（セルグローバルアイデンティティ）にマッピングされる。これは、図２ＤのＲＮＣ／ＢＳＣマッピングテーブルの中に示されている。
【００６１】
ステップ１０２において、ＢＳＣ／ＲＮＣ４は、図２Ｄに示したＢＳＣ／ＲＮＣ４のマッピングテーブルに従って、ＵＥ能力をＣＳＩＲＡＴハンドオーバ指示子にマッピングを行い、ＵＥ２がｅＮｏｄｅＢ６にＳＲＶＣＣハンドオーバを行うことを要求するメッセージをＭＳＣ／ＶＬＲ８に送信する。
【００６２】
ステップ１０４において、ＭＳＣ／ＶＬＲ８は、図２Ｅに示したＭＳＣ／ＶＬＲ８のルーティングテーブルを使用して、ＳＲＶＣＣ指示子に関連したターゲットノードアドレス（ＭＭＥアドレス）を検索する。そして、ＭＳＣ／ＶＬＲ８は、前記ＳＲＶＣＣハンドオーバ要求をＭＭＥノード１０に転送する。
【００６３】
ステップ１０６において、ＭＭＥノード１０は、前記ハンドオーバ要求メッセージをターゲットｅＮｏｄｅＢ６に転送する。
【００６４】
ステップ１０８において、ターゲットｅＮｏｄｅＢ６は、確認応答をＭＭＥノード１０に送信する。
【００６５】
ステップ１１０において、ＭＭＥノード１０は、ＣＳからＰＳへのＵＥ２のハンドオーバ要求に対する応答を備えるメッセージをＭＳＣ／ＶＬＲ８に送信する。
【００６６】
ステップ１１２において、ＭＳＣ／ＶＬＲ８は、ハンドオーバコマンドをＢＳＣ／ＲＮＣ４に送信する。
【００６７】
ステップ１１４において、ＢＳＣ／ＲＮＣ４は、ハンドオーバコマンドをＵＥ２に転送する。
【００６８】
ステップ１１６において、ＵＥ２はＥ−ＵＴＲＡＮに同調を取る。
【００６９】
ステップ１１８において、ＢＳＣ／ＲＮＣ４は、ＣＳｏＰＳを使用して、ＵＥ１のＬＴＥへのＣＳＩＲＡＴハンドオーバを開始する。
【００７０】
ステップ１２０において、ｅＮｏｄｅＢのＡＲＦＣＮ（絶対無線周波数チャネル数）およびｅＮｏｄｅＢのＢＳＩＣ（基地局アイデンティティコード）は、ＵＥ１に対するｅＮｏｄｅＢのＣＧＩにマッピングされる。これは、図２ＤのＲＮＣ／ＢＳＣマッピングテーブルの中に示されている。
【００７１】
ステップ１２２において、ＢＳＣ／ＲＮＣ４は、図２Ｄに示したＢＳＣ／ＲＮＣ４のマッピングテーブルに従って、ＵＥ能力をＣＳＩＲＡＴハンドオーバ指示子にマッピングを行い、ＵＥ１のＩＤおよびｅＮｏｄｅＢのＣＧＩを備えるＣＳｏＰＳハンドオーバ要求メッセージをＭＳＣ／ＶＬＲ８に送信する。
【００７２】
ステップ１２４において、ＭＳＣ／ＶＬＲ８は、図２Ｅに示したＭＳＣ／ＶＬＲ８のルーティングテーブルを使用して、ＣＳｏＰＳ指示子に関連したターゲットノードアドレス（ＩＷＦアドレス）を検索する。そして、ＭＳＣ／ＶＬＲ８は、ＵＥ１のＩＤおよびｅＮｏｄｅＢのＣＧＩを備えるハンドオーバ要求メッセージをＩＷＦ１２に送信する。
【００７３】
ステップ１２６において、ＩＷＦノード１２は、ＵＥ１のＩＤおよびターゲットｅＮｏｄｅＢのＣＧＩを備える、ＣＳからＰＳへのハンドオーバ要求を、ＭＭＥノード１０に転送する。
【００７４】
ステップ１２８において、ＭＭＥノード１０は、ＵＥ１のハンドオーバ要求をターゲットｅＮｏｄｅＢに送信する。
【００７５】
ステップ１３０において、ターゲットｅＮｏｄｅＢは、確認応答をＭＭＥノード１０に送信する。
【００７６】
ステップ１３２において、ＭＭＥノード１０は、ＵＥ１のハンドオーバ要求に関する応答をＩＷＦノード１２に送信する。
【００７７】
ステップ１３４において、ＩＷＦノード１２は、前記応答をＭＳＣ／ＶＬＲ８に転送する。ＭＳＣ／ＶＬＲ８は、ステップ１３８において、ハンドオーバコマンドをＢＳＣ／ＲＮＣ４に送信する。
【００７８】
ステップ１４０において、ＢＳＣ／ＲＮＣ４は、ハンドオーバコマンドをＵＥ１に転送し、ＵＥ１はステップ１４２において前記ハンドオーバを実行する。
【産業上の利用可能性】
【００７９】
本発明は、通信分野、および２Ｇ／３ＧネットワークからＬＴＥ（長期的進化）ネットワークへのユーザ装置のＣＳＩＲＡＴ（回線交換ＲＡＴ（無線アクセス技術）間）ハンドオーバを管理する方法に適用可能である。本発明はまた、２Ｇ／３ＧネットワークのＢＳＣ／ＲＮＣノード、２Ｇ／３ＧネットワークのＭＳＣノード、およびユーザ装置等に対しても適用可能である。
【符号の説明】
【００８０】
２  ＢＴＳ／ＮｏｄｅＢ
４  ＢＳＣ／ＲＮＣ
６  ｅＮｏｄｅＢ
８  ＭＳＣ／ＶＬＲ
１０  ＭＭＥ
１２  ＩＷＦ
２０  ＵＥ能力情報
（ＬＴＥがサポートするネットワークへのＣＳｏＰＳ  ＩＲＡＴハンドオーバ）
２２  ＵＥ能力情報確認
２４  システム情報（近隣セル）
（．．．、ｅＮｏｄｅＢセルの（ＡＲＦＣＮ、ＢＳＩＣ）、．．．）
２６  ＵＥ能力情報
（ＬＴＥがサポートするネットワークへのＳＲＶＣＣ  ＩＲＡＴハンドオーバ）
２８  ＵＥ能力情報確認
３０  システム情報（近隣セル）
（．．．、ｅＮｏｄｅＢセルの（ＡＲＦＣＮ、ＢＳＩＣ）、．．．）
３２  測定報告
（．．．、ｅＮｏｄｅＢセルの（ＡＲＦＣＮ、ＢＳＩＣ）に対するｅＮｏｄｅＢ測定、．．．）
３４  ＵＥ２のハンドオーバに対する決定
３６  ｅＮｏｄｅＢ（ＡＲＦＣＮ、ＢＳＩＣ）はｅＮｏｄｅＢのＣＧＩにマッピングされる
３８  ハンドオーバ要求
（ＵＥ２、ｅＮｏｄｅＢのＣＧＩ）
４０  ＭＳＣは、ＭＳＣのルーティングテーブルを使用して、ｅＮｏｄｅＢに関連したターゲットノードアドレス（ＭＭＥアドレス）を検索する
４２  ＣＳからＰＳへのハンドオーバ要求
（ＵＥ２、ｅＮｏｄｅＢのＣＧＩ）
４４  ハンドオーバ要求
（ＵＥ２）
４６  ハンドオーバ要求確認応答
（ＵＥ２）
４８  ＣＳからＰＳへのハンドオーバ要求に対する応答
（ＵＥ２）
５０  セッション転送の開始
５２  ハンドオーバコマンド
（ＵＥ２）
５４  ハンドオーバコマンド
５６  ＵＥ２はＥ−ＵＴＲＡＮに同調
５８  ＵＥ１のハンドオーバに対する決定
６０  ｅＮｏｄｅＢ（ＡＲＦＣＮ、ＢＳＩＣ）は２Ｇ／３Ｇの仮想ＣＧＩにマッピングされる
６２  ハンドオーバ要求
（ＵＥ１、２Ｇ／３Ｇの仮想ＣＧＩ）
６４  ＭＳＣは、ＭＳＣのルーティングテーブルを使用して、２Ｇ／３Ｇの仮想ＣＧＩに関連したターゲットノードアドレス（ＩＷＦアドレス）を検索する
６６  ハンドオーバ要求
（ＵＥ１、２Ｇ／３Ｇの仮想ＣＧＩ）
６７  ２Ｇ／３Ｇの仮想ＣＧＩはｅＮｏｄｅＢのＣＧＩにマッピングされる
６８  ＣＳからＰＳへのハンドオーバ要求
（ＵＥ１、ｅＮｏｄｅＢのＣＧＩ）
７０  ハンドオーバ要求
（ＵＥ１）
７２  ハンドオーバ要求確認応答
（ＵＥ１）
７４  ＣＳからＰＳへのハンドオーバ要求に対する応答
（ＵＥ１）
７６  ハンドオーバ要求確認応答
（ＵＥ１）
７８  ハンドオーバコマンド
（ＵＥ１）
８０  ハンドオーバコマンド
８２  ＵＥ１はＥ−ＵＴＲＡＮに同調
９４  ＵＥ２のハンドオーバに対する決定
１００  ｅＮｏｄｅＢ（ＡＲＦＣＮ、ＢＳＩＣ）はＵＥ２に対するｅＮｏｄｅＢのＣＧＩにマッピングされる
１０２  ハンドオーバ要求
（ＵＥ２、ｅＮｏｄｅＢのＣＧＩ、ＳＲＶＣＣ）
１０４  ＣＳからＰＳへのハンドオーバ要求
（ＵＥ２、ｅＮｏｄｅＢのＣＧＩ）
１０６  ハンドオーバ要求
（ＵＥ２）
１０８  ハンドオーバ要求確認応答
（ＵＥ２）
１１０  ＣＳからＰＳへのハンドオーバ要求に対する応答
（ＵＥ２）
１１２  ハンドオーバコマンド
（ＵＥ２）
１１４  ハンドオーバコマンド
１１６  ＵＥ２はＥ−ＵＴＲＡＮに同調
１１８  ＵＥ１のハンドオーバに対する決定
１２０  ｅＮｏｄｅＢ（ＡＲＦＣＮ、ＢＳＩＣ）はＵＥ２に対するｅＮｏｄｅＢのＣＧＩにマッピングされる
１２２  ハンドオーバ要求
（ＵＥ２、ｅＮｏｄｅＢのＣＧＩ、ＣＳｏＰＳ）
１２４  ハンドオーバ要求
（ＵＥ１、ｅＮｏｄｅＢのＣＧＩ）
１２６  ＣＳからＰＳへのハンドオーバ要求
（ＵＥ１、ｅＮｏｄｅＢのＣＧＩ）
１２８  ハンドオーバ要求
（ＵＥ１）
１３０  ハンドオーバ要求確認応答
（ＵＥ１）
１３２  ＣＳからＰＳへのハンドオーバ要求に対する応答
（ＵＥ１）
１３４  ハンドオーバ要求確認応答
（ＵＥ１）
１３８  ハンドオーバコマンド
（ＵＥ１）
１４０  ハンドオーバコマンド
１４２  ＵＥ１はＥ−ＵＴＲＡＮに同調
【図１】
0005440616.tif 000002
【図２Ａ】
0005440616.tif 000003
【図２Ｂ】
0005440616.tif 000004
【図２Ｃ】
0005440616.tif 000005
【図２Ｄ】
0005440616.tif 000006
【図２Ｅ】
0005440616.tif 000007
【図３】
0005440616.tif 000008
【図４】
0005440616.tif 000009
【図５】
0005440616.tif 000010